(57)【特許請求の範囲】
【請求項１】
管理対象における状態の遷移を示す状態遷移において、一状態および当該一状態から次にのみ遷移可能な状態により形成される状態群の情報を、サーバ装置から取得する状態群取得手段と、
１つの前記状態群の各状態に対応した、ユーザに提示するための各提示情報のうち、一提示情報を表示する表示手段と、
前記表示手段により表示された前記一提示情報の表示を、前記各提示情報のうちの他の提示情報の表示に切り替える表示切替手段と、
前記状態の確定を受け付ける確定受付手段と、
前記状態の確定を受け付けたことを示す確定情報を、前記サーバ装置に送信する送信手段と、
を備え、
前記状態群取得手段が、前記確定した状態を前記一状態とした前記状態群の情報を、前記サーバ装置から取得することを特徴とする情報表示端末装置。
【請求項２】
請求項１に記載の情報表示端末装置において、
前記ユーザの入力を受け付けるボタンスイッチからの入力、および、前記ボタンスイッチが押されるパターンのうち少なくとも１つに基づき、前記表示切替手段が、前記表示手段により表示された前記一提示情報の表示を、前記各提示情報のうちの他の提示情報の表示に切り替えることを特徴とする情報表示端末装置。
【請求項３】
請求項１または請求項２に記載の情報表示端末装置において、
前記状態群取得手段が、前記サーバ装置からの通知によって、遷移した状態に対応する前記状態群の情報を取得することを特徴とする情報表示端末装置。
【請求項４】
請求項１から請求項３のいずれか１項に記載の情報表示端末装置において、
前記情報表示端末装置のメモリに割り当てられたメモリ領域を示すインデックスであって、
前記状態群取得手段が、前記インデックスを含む状態群の情報を取得し、
前記取得したインデックスに対応する前記メモリ領域に、前記各提示情報を記憶することを特徴とする情報表示端末装置。
【請求項５】
状態群取得手段、表示手段、表示切替手段および送信手段を備えた情報表示端末装置の情報表示方法において、
前記状態群取得手段が、管理対象における状態の遷移を示す状態遷移において、一状態および当該一状態から次にのみ遷移可能な状態により形成される状態群の情報を、サーバ装置から取得する状態群取得ステップと、
前記表示手段が、前記状態群の各状態に対応してユーザに提示するための各提示情報のうち、一提示情報を表示する表示ステップと、
前記表示切替手段が、前記表示手段により表示された前記一提示情報を、前記各提示情報のうちの他の提示情報の表示に切り替える表示切替ステップと、
前記送信手段が、前記状態の確定を受け付けたことを示す確定情報を前記サーバ装置に送信する送信ステップと、
を有し、
前記状態群取得ステップにおいて、前記確定した状態を前記一状態とした前記状態群の情報を、前記サーバ装置から取得することを特徴とする情報表示方法。
【請求項６】
管理対象における状態の遷移を示す状態遷移において、一状態および当該一状態から次にのみ遷移可能な状態により形成される状態群を特定する状態群特定手段と、
前記特定された状態群の各状態に対応してユーザに提示するための各提示情報を、当該各提示情報のうち一提示情報を表示する情報表示端末装置に送信する送信手段と、
前記情報表示端末装置において前記状態の確定を受け付たことを示す確定情報を、前記情報表示端末装置から受信する受信手段と、
を備え、
前記送信手段が、前記確定した状態を前記一状態とした前記状態群において、当該状態群の各状態に対応した前記各提示情報を、前記情報表示端末装置に送信することを特徴とする状態管理サーバ装置。
【請求項７】
ユーザに提示するための各提示情報のうち、一提示情報を表示する情報表示端末装置と、
前記情報表示端末装置に、前記各提示情報を送信する状態管理サーバ装置と、
を備え、
前記状態管理サーバ装置が、
状態の遷移を示す状態遷移において、一状態および当該一状態から次にのみ遷移可能な状態により形成される状態群を１つ特定する状態群特定手段と、
前記特定された状態群の各状態に対応した前記各提示情報を、前記情報表示端末装置に送信する送信手段と、
を有し、
前記情報表示端末装置が、
前記一提示情報を表示する表示手段と、
前記表示手段により表示された前記一提示情報の表示を、前記各提示情報のうちの他の提示情報の表示に切り替える表示切替手段と、
前記状態の確定を受け付ける確定受付手段と、
前記状態の確定を受け付けたことを示す確定情報を、前記状態管理サーバ装置に送信する送信手段と、
を有し、
前記状態群特定手段が、前記確定した状態を前記一状態とした前記状態群の情報を１つ特定することを特徴とする状態管理システム。
【発明の詳細な説明】
【技術分野】
【０００１】
本発明は、情報表示端末装置、情報表示方法、状態管理サーバ装置、および、状態管理システムに関する。
【背景技術】
【０００２】
工場における部品や製造物、仕分け作業や、病院におけるベッドといった、個数、品質、衛生等の管理対象物の状態を、現場の作業者（オペレータ）が見て把握できるように、管理対象物に対して、管理システムに接続した表示装置が利用されている。例えば、特許文献１には、複数の商品収納部ごとに設けられる個数表示装置と個々に無線通信が可能な端末機を用い、各商品収納部についての情報を該端末機から当該個数表示装置を介してホストコンピュータに送信すると共に、その送信の際に、当該個数表示装置の識別コードを自動的に付加して送信するように構成された商品仕分け設備における情報通信システムが開示されている。
【先行技術文献】
【特許文献】
【０００３】
【特許文献１】特開２０００−８５９２８号公報
【発明の概要】
【発明が解決しようとする課題】
【０００４】
しかしながら、特許文献１では、個数表示装置とは別にポータブルな端末機が必要である。上記システムは、これにより複雑化しており、機器としてのコスト高や電力消費の増加以外に、作業者が装置を使いこなすまでに時間がかかったり、操作ミスが生じたりするという問題があった。
【０００５】
そこで、本発明は上記の問題点等に鑑みて為されたもので、その課題の一例は、作業者の誤操作を防止する情報表示端末装置等を提供することを目的とする。
【課題を解決するための手段】
【０００６】
上記の課題を解決するために、請求項１に記載の発明は、管理対象における状態の遷移を示す状態遷移において、一状態および当該一状態から次にのみ遷移可能な状態により形成される状態群の情報を、サーバ装置から取得する状態群取得手段と、１つの前記状態群の各状態に対応した、ユーザに提示するための各提示情報のうち、一提示情報を表示する表示手段と、前記表示手段により表示された前記一提示情報の表示を、前記各提示情報のうちの他の提示情報の表示に切り替える表示切替手段と、前記状態の確定を受け付ける確定受付手段と、前記状態の確定を受け付けたことを示す確定情報を、前記サーバ装置に送信する送信手段と、を備え、前記状態群取得手段が、前記確定した状態を前記一状態とした前記状態群の情報を、前記サーバ装置から取得することを特徴とする。
【０００８】
また、請求項２に記載の発明は、請求項１に記載の情報表示端末装置において、  前記ユーザの入力を受け付けるボタンスイッチからの入力、および、前記ボタンスイッチが押されるパターンのうち少なくとも１つに基づき、前記表示切替手段が、前記表示手段により表示された前記一提示情報の表示を、前記各提示情報のうちの他の提示情報の表示に切り替えることを特徴とする。
【０００９】
また、請求項３に記載の発明は、請求項１または請求項２に記載の情報表示端末装置において、前記状態群取得手段が、前記サーバ装置からの通知によって、遷移した状態に対応する前記状態群の情報を取得することを特徴とする。
【００１０】
また、請求項４に記載の発明は、請求項１から請求項３のいずれか１項に記載の情報表示端末装置において、前記情報表示端末装置のメモリに割り当てられたメモリ領域を示すインデックスであって、前記状態群取得手段が、前記インデックスを含む状態群の情報を取得し、前記取得したインデックスに対応する前記メモリ領域に、前記各提示情報を記憶することを特徴とする。
【００１１】
また、請求項５に記載の発明は、状態群取得手段、表示手段、表示切替手段および送信手段を備えた情報表示端末装置の情報表示方法において、前記状態群取得手段が、管理対象における状態の遷移を示す状態遷移において、一状態および当該一状態から次にのみ遷移可能な状態により形成される状態群の情報を、サーバ装置から取得する状態群取得ステップと、前記表示手段が、前記状態群の各状態に対応してユーザに提示するための各提示情報のうち、一提示情報を表示する表示ステップと、前記表示切替手段が、前記表示手段により表示された前記一提示情報を、前記各提示情報のうちの他の提示情報の表示に切り替える表示切替ステップと、前記送信手段が、前記状態の確定を受け付けたことを示す確定情報を前記サーバ装置に送信する送信ステップと、を有し、前記状態群取得ステップにおいて、前記確定した状態を前記一状態とした前記状態群の情報を、前記サーバ装置から取得することを特徴とする。
【００１２】
また、請求項６に記載の発明は、管理対象における状態の遷移を示す状態遷移において、一状態および当該一状態から次にのみ遷移可能な状態により形成される状態群を特定する状態群特定手段と、前記特定された状態群の各状態に対応してユーザに提示するための各提示情報を、当該各提示情報のうち一提示情報を表示する情報表示端末装置に送信する送信手段と、前記情報表示端末装置において前記状態の確定を受け付たことを示す確定情報を、前記情報表示端末装置から受信する受信手段と、を備え、前記送信手段が、前記確定した状態を前記一状態とした前記状態群において、当該状態群の各状態に対応した前記各提示情報を、前記情報表示端末装置に送信することを特徴とする。
【００１３】
また、請求項７に記載の発明は、ユーザに提示するための各提示情報のうち、一提示情報を表示する情報表示端末装置と、前記情報表示端末装置に、前記各提示情報を送信する状態管理サーバ装置と、を備え、前記状態管理サーバ装置が、状態の遷移を示す状態遷移において、一状態および当該一状態から次にのみ遷移可能な状態により形成される状態群を１つ特定する状態群特定手段と、前記特定された状態群の各状態に対応した前記各提示情報を、前記情報表示端末装置に送信する送信手段と、を有し、前記情報表示端末装置が、前記一提示情報を表示する表示手段と、前記表示手段により表示された前記一提示情報の表示を、前記各提示情報のうちの他の提示情報の表示に切り替える表示切替手段と、前記状態の確定を受け付ける確定受付手段と、前記状態の確定を受け付けたことを示す確定情報を、前記状態管理サーバ装置に送信する送信手段と、を有し、前記状態群特定手段が、前記確定した状態を前記一状態とした前記状態群の情報を１つ特定することを特徴とする。
【発明の効果】
【００１４】
本発明によれば、管理対象における状態の遷移を示す状態遷移において、一状態および当該一状態から次に遷移可能な状態により形成される状態群の情報を取得し、状態群の各状態に対応してユーザに提示するための各提示情報のうち、一提示情報を表示し、提示情報の表示を切り替えることにより、一状態から次に遷移可能な状態群に切り替えや表示を限っているので、遷移不可能な状態の情報が表示されることがなく、管理対象に対する作業の間違えを防止できる。
【図面の簡単な説明】
【００１５】
【図１】本発明の実施形態に係る状態管理システムの概要構成例を示す模式図である。
【図２】図１の表示サーバ装置の概要構成例を示すブロック図である。
【図３】図１の情報表示端末装置の概要構成例を示すブロック図である。
【図４】図３の情報表示端末装置の一例を示す模式図である。
【図５】状態遷移の一例を示す模式図である。
【図６】各状態に対応した画像群の一例を示す模式図である。
【図７】状態に対応した画像群の一例を示す模式図である。
【図８】状態遷移の一例を示す模式図である。
【図９】各状態に対応した画像群の一例を示す模式図である。
【図１０】図２の表示サーバ装置の記憶部に構築されたデータベースの一例を示す模式図である。
【図１１】図２の表示サーバ装置の記憶部に構築されたデータベースの一例を示す模式図である。
【図１２】図２の表示サーバ装置の記憶部に構築されたデータベースに記憶された表示データの一例を示す模式図である。
【図１３】図２の表示サーバ装置の記憶部に構築されたデータベースの一例を示す模式図である。
【図１４】図３の情報表示端末装置のメモリ領域に対応する格納インデックスの一例を示す模式図である。
【図１５】図２の表示サーバ装置の記憶部に構築されたデータベースの一例を示す模式図である。
【図１６】図１の表示サーバ装置から情報表示端末装置に送信されるデータのデータフォーマットの一例を示す模式図である。
【図１７】図１の表示サーバ装置から情報表示端末装置に送信される画像データのデータフォーマットの一例を示す模式図である。
【図１８】図１の情報表示端末装置から表示サーバ装置に送信されるデータのデータフォーマットの一例を示す模式図である。
【図１９】図１の情報表示端末装置から表示サーバ装置に送信される状態遷移のデータのデータフォーマットの一例を示す模式図である。
【図２０】情報表示端末装置の動作例を示すフローチャートである。
【図２１】表示サーバ装置の動作例を示すフローチャートである。
【図２２】在庫管理における状態遷移の一例を示す模式図である。
【図２３】病院等のベッドに設置された情報表示端末装置の一例を示す模式図である。
【図２４】病院等のベッド管理における状態遷移の一例を示す模式図である。
【図２５】製造管理における状態遷移の一例を示す模式図である。
【発明を実施するための形態】
【００１６】
以下、図面を参照して本発明の実施形態について説明する。なお、以下に説明する実施の形態は、状態管理システムに対して本発明を適用した場合の実施形態である。
【００１７】
［１．状態管理システムの構成および機能の概要］
まず、本発明の一実施形態に係る状態管理システムの構成および概要機能について、図１を用いて説明する。
【００１８】
図１は、本発明の実施形態に係る状態管理システムの概要構成例を示す模式図である。
【００１９】
図１に示すように、状態管理システム１は、ユーザの管理対象における状態に応じた提示の表示データを管理する表示サーバ装置１０と、表示サーバ装置１０に指令を行う上位サーバ装置２０と、物品５等の管理対象に取り付けられ、表示サーバ装置１０からの表示データを表示する情報表示端末装置３０と、を備える。
【００２０】
ここで、管理対象における状態とは、例えば、在庫管理の場合、在庫の有無や量等の在庫の状態を示す状態、ユーザへ注意を促すような通知をする状態、発注等の作業指示を示している状態等が挙げられる。また、製造管理の場合、所定の工程における作業手順を示している状態、検査、解析、待機、出荷、廃棄等を行うように指示をする状態、ユーザへ注意を促すような通知をする状態等が挙げられる。また、ベッド管理の場合、故障中、準備中等の機器の状態を通知する状態、ベッドの清掃が必要なことを通知する状態、ベッドの清掃が可能である状態であることを示す状態、清掃中、使用中等の作業状態を示す状態、ユーザが報告する状態等が挙げられる。
【００２１】
表示サーバ装置１０と、各アクセスポイントＡＰとは、ハブＨＢを有するＬＡＮのようなネットワークを通して接続されている。各アクセスポイントＡＰと、各情報表示端末装置３０とは、近距離無線通信により交信を行う。例えば、各アクセスポイントＡＰと各情報表示端末装置３０とは、２．４ＧＨｚ帯域の近距離無線通信により、５０ｍ〜１００ｍの範囲の交信を行う。
【００２２】
所定位置に設置された無線機の一例であるアクセスポイントＡＰ等は、基地局であり、送信機能と受信機能とを有する。アクセスポイントＡＰ等は、例えば、工場、病院等の施設の天井や壁に設置される。情報表示端末装置３０が施設内のどこにあっても通信できるように配置されている。
【００２３】
ここで、一般的に、表示サーバ装置１０と情報表示端末装置３０との通信はアクセスポイントＡＰを介して行い、各アクセスポイントＡＰの通信チャネルは電波の干渉を避けるため近傍のアクセスポイントと異なるように設定する。また、情報表示端末装置３０はアクセスポイントから離れるほど電波が弱くなり通信に支障をきたすため、アクセスポイントと通信が行える領域を一部重ねることで、情報表示端末装置３０は通信チャネルの受信強度（RSSI(Received Signal Strength Indicator)）が弱い場合に、強いRSSIのアクセスポイントに切り替えることで通信を維持する。
【００２４】
表示サーバ装置１０は、アクセスポイントＡＰを介して情報表示端末装置３０に表示データを送信したり、情報表示端末装置３０の位置を推定したり、情報表示端末装置３０の個数を求めたりする。表示サーバ装置１０は、情報表示端末装置３０からの情報に基づき、物品５等の管理対象管理対象に対する状態の管理を行う。
【００２５】
情報表示端末装置３０は、物品５（管理対象物の一例）に取り付けられたり、物品５を運ぶ荷台やコンテナ（対象物の一例）に取り付けられたりする。
【００２６】
［２．各装置の構成および機能］
（２．１  表示サーバ装置１０の構成および機能）
次に、表示サーバ装置１０の構成および機能について、図２を用いて説明する。
【００２７】
図２は、表示サーバ装置の概要構成例を示すブロック図である。
【００２８】
図２に示すように、表示サーバ装置１０は、通信部１１と、記憶部１２と、表示部１３と、操作部１４と、入出力インターフェース部１５と、システム制御部１６と、を備えている。そして、システム制御部１６と入出力インターフェース部１５とは、システムバス１７を介して接続されている。
【００２９】
通信部１１は、各アクセスポイントＡＰを通して、情報表示端末装置３０との通信を制御する。
【００３０】
記憶部１２には、例えば、ハードディスクドライブ、シリコンディスクドライブ等により構成されており、オペレーティングシステムおよびプログラム等の各種プログラムや地図情報等を記憶する。なお、各種プログラムは、例えば、他のサーバ装置等からネットワークを介して取得されるようにしてもよいし、記録媒体に記録されてドライブ装置を介して読み込まれるようにしてもよい。
【００３１】
また、記憶部１２には、状態情報データベース１２ａ（以下「状態情報ＤＢ１２ａ」とする。）、表示情報データベース１２ｂ（以下「表示情報ＤＢ１２ｂ」とする。）、位置情報データベース１２ｃ（以下「位置情報ＤＢ１２ｃ」とする。）等が構築されている。
【００３２】
状態情報ＤＢ１２ａには、管理対象に対する状態の遷移を示す状態遷移の情報、一状態から次に遷移可能な状態群の情報等が記憶されている。なお、状態情報ＤＢ１２ａの詳細は、状態遷移を説明した後、具体的に説明する。
【００３３】
表示情報ＤＢ１２ｂには、各情報表示端末装置３０に表示させる表示情報が、状態ＩＤと各情報表示端末装置３０の端末ＩＤに関連付けられて記憶されている。例えば、ユーザに指示を与えるための作業指示情報を示す表示情報として、物品の品名、仕様、コード、ロット番号、物品に関する画像等が挙げられる。
【００３４】
位置情報ＤＢ１２ｃには、各情報表示端末装置３０の位置履歴として、各情報表示端末装置３０の位置情報および時刻が、各情報表示端末装置３０の端末ＩＤに関連付けられて記憶される。例えば、施設の所定の場所を原点とする座標軸が設定される。
【００３５】
表示部１３は、例えば、液晶表示素子またはＥＬ（Electro Luminescence）素子等によって構成されている。
【００３６】
操作部１４は、例えば、キーボードおよびマウス等によって構成されている。
【００３７】
入出力インターフェース部１５は、通信部１１等とシステム制御部１６との間のインターフェース処理を行うようになっている。
【００３８】
システム制御部１６は、ＣＰＵ（Central Processing Unit）１６ａ、ＲＯＭ（Read Only Memory）１６ｂ、ＲＡＭ（Random Access Memory）１６ｃ等により構成されている。
【００３９】
なお、上位サーバ装置２０の構成は、表示サーバ装置１０のように、通信部と、記憶部と、表示部と、操作部と、入出力インターフェース部と、システム制御部と、を備えている。上位サーバ装置２０は、例えば、在庫管理の場合、工場等の在庫を管理する。製造管理の場合、上位サーバ装置２０は、製造工程を管理する。ベッド管理の場合、上位サーバ装置２０は、病院の電子カルテ等を管理する。上位サーバ装置２０の構成の詳細は、省略する。
【００４０】
（２．２  情報表示端末装置３０の構成および機能）
次に、情報表示端末装置３０について、図３および図４を用いて説明する。
【００４１】
図３は、情報表示端末装置３０の概要構成例を示すブロック図である。図４は、情報表示端末装置３０の一例を示す模式図である。
【００４２】
図３に示すように、コンピュータとして機能する情報表示端末装置３０は、通信部３１と、記憶部３２と、表示部３３と、操作部３４と、入出力インターフェース部３５と、システム制御部３６とを備えている。また、情報表示端末装置３０は、小型電池等の電源（図示せず）を備えている。そして、システム制御部３６と入出力インターフェース部３５とは、システムバス３７を介して接続されている。
【００４３】
通信部３１は、アンテナを有し、アクセスポイントＡＰ等を通して、表示サーバ装置１０等と通信を制御する。アンテナは、通信チャネルを切り替えて各アクセスポイントＡＰに対応する周波数の電波の送受信ができる機能を有する。また、アンテナは、各アクセスポイントＡＰからの電波の受信強度を測定する機能を有する。
【００４４】
記憶部３２は、例えば、フラッシュメモリ等の不揮発性メモリ等からなり、オペレーティングシステム等のプログラム等を記憶する。また、記憶部３２には、情報表示端末装置３０自体を示す端末ＩＤが記憶されている。
【００４５】
表示部３３（表示手段の一例）は、例えば、電子ペーパ用の素子等によって構成されている。表示部３３は、マイクロカプセル方式、電子粉流体方式、液晶方式、電気泳動方式等の電子ペーパである。なお、表示部３３は、ＥＬ素子等によって構成されてもよい。
【００４６】
図４に示すように、表示部３３には、棚コード３３ａ、部品コード３３ｂ、メーカコード３３ｃ、部品名３３ｄ、物品に関する画像３３ｅ、各種表示３３ｆ等が表示される。これらは、状態群の各状態に対応してユーザに提示するための各提示情報の一例である。
【００４７】
操作部３４は、図４に示すように、例えば、操作ボタン３４ａ等によって構成されている。操作ボタン３４ａの選択、押し方により、次の画面への切り替え、逆順の画面の切り替え、画面の確定、前回の遷移前の状態に戻す（アンドゥ機能）、所定の状態に遷移させる（状態リセット機能）、電源のオン・オフ等の操作が行われる。
【００４８】
操作部３４および操作ボタン３４ａは、提示情報の表示を切り替える表示切替手段の一例である。また、操作部３４および操作ボタン３４ａは、状態の確定を受け付ける確定受付手段の一例である。操作ボタン３４ａは、ユーザの入力を受け付けるボタンスイッチの一例である。
【００４９】
各操作ボタン３４ａが押されるパターンに基づき、提示情報の表示を切り替えたり、画面の確定（状態の確定）がされるようになっている。
【００５０】
例えば、操作ボタン３４ａが１個の場合、短い押下を画面の切替に割り当て、長い押下を画面の確定に割り当てる。また、操作ボタン３４ａが２個の場合、第１操作ボタン３４ａの短い押下を画面の切替に、第２操作ボタン３４ａの短い押下を画面の切替（逆順）に、第１操作ボタン３４ａの長い押下を画面の確定、第２操作ボタン３４ａの長い押下を前回の遷移前状態に戻す（アンドゥ機能）等に割り当てる。
【００５１】
また、操作ボタン３４ａが３個の場合、第１操作ボタン３４ａの短い押下を画面の切替に、第２操作ボタン３４ａの短い押下を画面の切替（逆順）に、第３操作ボタン３４ａの短い押下を画面遷移先から元の画面に戻す機能に、第１操作ボタン３４ａの長い押下を画面の確定、第２操作ボタン３４ａの長い押下を前回の遷移前状態に戻す（アンドゥ機能）に、第３操作ボタン３４ａの長い押下を、初期状態に戻す機能に割り当てる。
【００５２】
入出力インターフェース部３５は、通信部３１等とシステム制御部３６とのインターフェースである。
【００５３】
システム制御部３６は、例えば、ＣＰＵ３６ａと、ＲＯＭ３６ｂと、ＲＡＭ３６ｃとを有する。システム制御部３６は、ＣＰＵ３６ａが、ＲＯＭ３６ｂや、ＲＡＭ３６ｃや、記憶部３２に記憶された各種プログラムを読み出して実行する。
【００５４】
また、図４に示すように、情報表示端末装置３０には、読取機により読み取られるコード３０ａがある。コード３０ａは、情報表示端末装置３０の端末ＩＤ等に対応する。なお、情報表示端末装置３０は、コード３０ａの代わりに、ＩＣタグを内蔵してもよい。また、コード３０ａに、棚コード３３ａ、部品コード３３ｂ、メーカコード３３ｃ、部品名３３ｄ、物品に関する画像３３ｅ、各種表示３３ｆ等の内容を含ませてもよい。
【００５５】
［３．  遷移状態およびデータベース］
次に、状態遷移および状態遷移に関するデータベースについて図を用いて説明する。
【００５６】
（３．１  状態遷移）
図５および図８は、状態遷移の一例を示す模式図である。図６および図９は、各状態に対応した画像群の一例を示す模式図である。図７は、状態に対応した画像群の一例を示す模式図である。
【００５７】
図５に示すように、管理対象における状態が、例えば、６つの状態の場合、ある状態（一状態）から所定の状態に遷移を示している。なお、”Ｒｅｓｅｔ”は、状態リセット機能に対応する。操作ボタン３４ａの選択、押し方により、各状態から、例えば、”状態１”に遷移できることを示している。
【００５８】
状態の遷移先は、図５に示すように、例えば、”状態１”の場合、”状態２”に遷移可能である。”状態２”の場合、”状態３”、”状態４”、”状態５”、および、（リセットによる）”状態１”に遷移可能である。”状態３”の場合、”状態４”、および、（リセットによる）”状態１”に遷移可能である。”状態４”の場合、”状態５”、”状態６”、および、（リセットによる）”状態１”に遷移可能である。”状態５”の場合、”状態６”、および、（リセットによる）”状態１”に遷移可能である。”状態６”の場合、”状態１”に遷移可能である（リセットでも、次の画面への切り替えでもよい）。
【００５９】
これらの状態の遷移先の状態および遷移元の状態は、状態群（一状態および当該一状態から次に遷移可能な状態により形成される状態群の一例）を形成する。
【００６０】
図６に示すように、状態群の各状態に対応し画像が設定され、各状態に対して、画像群が形成される。ここで、画像群の画像は、状態群の各状態に対応してユーザに提示するための各提示情報の一例である。
【００６１】
図７に示すように、画像群の各画像は、表示部３３への表示が、操作ボタン３４ａの操作により順に入れ替わる。状態の遷移は、操作ボタン３４ａの操作により、表示部３３への表示画像が入れ替わり、操作ボタン３４ａの操作により確定されると、情報表示端末装置３０から、表示サーバ装置１０に、確定情報が送信され、表示サーバ装置１０等の状態管理サーバ装置において、状態が、確定された状態に遷移する。
【００６２】
また、状態の遷移は、情報表示端末装置３０の操作ボタン３４ａの操作の他に、遷移の経路に基づき表示サーバ装置１０による自動遷移でもよいし、上位サーバ装置２０からの通知による遷移でもよい。例えば、図８に示すように、例えば、５つの状態の場合において、情報表示端末装置３０の操作ボタン３４ａの操作による遷移、表示サーバ装置１０による自動遷移、および、上位サーバ装置２０からの通知による遷移の組合せが挙げられる。なお、情報表示端末装置３０の操作ボタン３４ａの操作（例えば、押下）、表示サーバ装置１０による遷移の経路判断（自動遷移）、および、上位サーバ装置２０からの通知は、状態の遷移を起こすための遷移条件である。
【００６３】
そして、図８の状態遷移図に対応して、図９に示すように、状態”ST-001”、状態”ST-002”、状態”ST-003”、状態”ST-004”、および、状態”ST-005”の各状態において、状態群および画像群が設定される。
【００６４】
ここで、状態”ST-002”の場合、状態群は、状態”ST-001”、状態”ST-002”および、状態”ST-003”であるが、画像群は、状態”ST-001”に対応する画像、および、状態”ST-002”に対応する画像である。状態”ST-002”である場合、上位サーバ装置２０からの通知により状態”ST-003”に遷移して、情報表示端末装置３０の操作ボタン３４ａの操作による画像の切り替えが不要なため、状態”ST-003”に対応する画像”image3”が取り除かれている。
【００６５】
また、状態”ST-004”の場合、状態群は、状態”ST-001”、状態”ST-003”、状態”ST-004”、および、状態”ST-005”であるが、画像群は、状態”ST-004”に対応する画像のみである。状態”ST-004”である場合、遷移の経路に依存して、状態”ST-003”、または、状態”ST-005”に自動に遷移して、情報表示端末装置３０の操作ボタン３４ａの操作による画像の切り替えが不要なため、状態”ST-003”に対応する画像”image3”、状態”ST-005”に対応する画像”imgage5”、リセットの操作による状態”ST-001”に対応する画像”image1”が取り除かれている。
【００６６】
（３．２  データベース）
次に、図８の状態遷移図に対応した、データベースについて、図１０から図１５を用いて説明する。
【００６７】
図１０、図１１、図１３、および、図１５は、表示サーバ装置１０の記憶部に構築されたデータベースの一例を示す模式図である。図１４は、情報表示端末装置３０のメモリ領域に対応する格納インデックスの一例を示す模式図である。なお、図８の状態遷移図に基づいた例で、説明する。
【００６８】
図１０に示すように、状態情報ＤＢ１２ａには、各状態を特定するステートＩＤに関連付けられて、遷移条件、遷移先、遷移元等が、記憶されている。
【００６９】
ここで、ステートＩＤ”ST-004”における遷移条件”自動遷移”で、遷移先”ST-005”、遷移元”ST-003”は、状態”ST-003”から状態”ST-004”に遷移してきた場合は、状態”ST-005”にすぐに遷移することを示している。また、ステートＩＤ”ST-002”における遷移条件”サーバ通知”で遷移先”ST-003”は、上位サーバ装置２０から、所定の通知として例えば、”発注あり”という情報を、表示サーバ装置１０が受信したら、状態”ST-003に遷移することを示している。
【００７０】
図１１に示すように、状態情報ＤＢ１２ａまたは表示情報ＤＢ１２ｂには、各状態を特定するステートＩＤに関連付けられて、状態名、表示部３３に表示させる基本的な枠組みの画像であるベース画像の情報、ベース画像に対して状態に応じて変化する情報を示す可変部フォーマット等が、ステート表として記録されている。ステート表は、各状態のときに表示する画像を生成するための情報を格納した表である。
【００７１】
ここで、ベース画像は、例えば、図１２に示すように、棚コード、部品コード等の表示部３３に表示させる基本的な枠組みの画像である。また、可変部フォーマットの情報は、ベース画像と、重ね合わせる可変情報について記述したフォーマットである。可変部フォーマットの情報は、例えば、ベース画像の情報を取り除いた、図４の表示部３３に表示された情報で、可変値の領域に表示する文字や画像の位置やサイズ・大きさについて、ＸＭＬ（Extensible Markup Language）形式の情報である。ここで、ベース画像および可変部フォーマットの情報は、状態群の各状態に対応してユーザに提示するための各提示情報の一例である。
【００７２】
図１３に示すように、状態情報ＤＢ１２ａには、各状態に対応した画像群のデータベースが構築されている。状態情報ＤＢ１２ａには、画像群表として、各状態を特定するステートＩＤに関連付けられて、インデックス毎に各状態に対応した画像ＩＤ（ステートＩＤ）と、インデックス毎に表示が非表示かのフラグと、ある状態におけるデフォルトで表示する画像（状態）が格納されている初期表示インデックスが記憶されている。
【００７３】
例えば、状態”ST-001”の場合、”Index1”欄に、画像群に対応させて、画像”image1”に対応するステートＩＤ”ST-001”、”Index2”欄に、画像”image2”に対応するステートＩＤ”ST-002”、”Index3”欄に、画像”image4”に対応するステートＩＤ”ST-004”が記憶されている。
【００７４】
また、初期表示インデックスは、ある状態におけるデフォルトで表示する画像（状態）が格納されている場所を示すためのインデックスで、例えば、ST-001のステートに遷移すると、初期表示インデックスがIndex1であるので、Index1に対応するメモリに格納されているST-001が表示される。
【００７５】
ここで、図１４に示すように、”Index1”欄、”Index2”欄、および、”Index3”欄のインデックスは、情報表示端末装置３０の記憶部３２またはＲＡＭ３６ｃにある状態を示す画像を格納するために割り当てたメモリ領域を示している。これらのインデックスは、表示サーバ装置１０（または、上位サーバ装置２０）が、情報表示端末装置３０のどのメモリ領域に画像を保存するかを全て把握し、管理するために使用される。これらのインデックスは、各情報表示端末装置３０において共通である。
【００７６】
なお、インデックス欄に、記憶部３２の画像データを状態に応じて、削除するブランク情報、非表示にするnull情報を記憶してもよい。記憶部３２に画像データが存在しても、表示を行うかのフラグが設けられてもよい。
【００７７】
図１５に示すように、状態情報ＤＢ１２ａには、情報表示端末装置３０の基本的な情報を格納した表として、情報表示端末装置３０の端末ＩＤに関連付けられて、情報表示端末装置３０が位置に応じて所属が決まるアクセスポイントの所属アクセスポイントＩＤ、情報表示端末装置３０の状況、バッテリの状況、情報表示端末装置３０が取り付けられている管理対象物の管理対象物ＩＤ、情報表示端末装置３０に示されている遷移状態の状態を示すステートＩＤ、表示サーバ装置１０との最終の通信時刻等が記憶されている。
【００７８】
［４．  各データのデータフォーマット］
次に、各データのデータフォーマットについて図を用いて説明する。
【００７９】
（４．１  表示サーバ装置から情報表示端末装置に送信されるデータのデータフォーマット）
表示サーバ装置１０から情報表示端末装置３０に送信されるデータのデータフォーマットについて図１６および図１７を用いて説明する。
【００８０】
図１６および図１７は、表示サーバ装置１０から情報表示端末装置３０に送信されるデータのデータフォーマットの一例を示す模式図である。
【００８１】
図１６に示すように、表示サーバ装置１０から情報表示端末装置３０に送信されるデータのデータフォーマットは、パケットサイズ、通信対象の情報表示端末装置３０の端末ＩＤ、通信先のアクセスポイントＩＤ、通信コマンド、データ等から構成される。
【００８２】
また、画像群を、表示サーバ装置１０から情報表示端末装置３０に送信するデータフォーマットは、図１７に示すように、通信コマンドが画像通信コマンドとなり、画像群データが、パケット分割数、パケット番号、どの画像を表示させるかの初期表示インデックス、画像群の枚数に対応した送信画像数、各画像に関するデータにより構成される。画像に関するデータは、記憶部３２のメモリ構造のどこに格納させるかを示す格納インデックス、画像を表示させるか否かの表示フラグ、各画像の画像データの容量、具体的な画像データから構成される。格納させるインデックスは、図１３の各インデックス欄に対応したインデックスである。
【００８３】
（４．２  情報表示端末装置から表示サーバ装置に送信されるデータのデータフォーマット）
次に、情報表示端末装置３０から表示サーバ装置１０に送信されるデータのデータフォーマットについて図１８および図１９を用いて説明する。
【００８４】
図１８は、情報表示端末装置３０から表示サーバ装置１０に送信されるデータのデータフォーマットの一例を示す模式図である。図１９は、情報表示端末装置３０から表示サーバ装置１０に送信される状態遷移のデータのデータフォーマットの一例を示す模式図である。
【００８５】
図１８に示すように、情報表示端末装置３０から表示サーバ装置１０に送信される状態遷移のデータのデータフォーマットは、パケットサイズ、情報表示端末装置３０自体の端末ＩＤ、所属するアクセスポイントのアクセスポイントＩＤ、通信コマンド、データ等から構成される。
【００８６】
図１９に示すように、情報表示端末装置３０から表示サーバ装置１０に送信されるデータのデータフォーマットは、パケットサイズ、情報表示端末装置３０自体の端末ＩＤ、所属するアクセスポイントのアクセスポイントＩＤ、状態遷移をすることを示す状態遷移コマンド、状態遷移のデータ等から構成される。
【００８７】
また、状態遷移のデータは、パケット分割数、パケット番号、遷移先の画像を示す遷移先画像インデックス、現在の状態を示す画像に対応する遷移元画像インデックスから構成される。
【００８８】
［５．状態管理システム１の動作］
次に、本発明の１実施形態に係る状態管理システム１の動作について図を用いて説明する。
【００８９】
（５．１  情報表示端末装置３０の動作例）
まず、情報表示端末装置３０の動作例について、図２０を用いて説明する。
【００９０】
図２０は、情報表示端末装置３０の動作例を示すフローチャートである。
【００９１】
情報表示端末装置３０が、物品５にセットされ、図２０に示すように、情報表示端末装置３０の電源がいれられる。
【００９２】
次に、状態管理システム１は、情報表示端末装置３０の記憶部３２に保存している画像を表示する（ステップＳ１）。具体的には、情報表示端末装置３０のシステム制御部３６が、記憶部３２に保存している画像を表示する。
【００９３】
次に、状態管理システム１は、表示サーバ装置１０に起動を通知する（ステップＳ２）。具体的には、情報表示端末装置３０のシステム制御部３６が、図１８に示すように、情報表示端末装置３０自体の端末ＩＤ、所属するアクセスポイントＩＤ等を含む通信パケットを送信する。
【００９４】
次に、状態管理システム１は、イベントが有るか否かを判定する（ステップＳ３）。具体的には、情報表示端末装置３０のシステム制御部３６が、情報表示端末装置３０のイベント（例えば、操作ボタン３４ａが押された）が有るか否か、または、表示サーバ装置１０からのイベント（例えば、画像群の送信情報）が有るか否かを判定する。なお、情報表示端末装置３０のイベントとして、操作ボタン３４ａの選択、押し方により、次の画面への切り替えイベント、逆順の画面の切り替えイベント、画面の確定のイベント、前回の遷移前の状態に戻すイベント、所定の状態に遷移させるイベント、電源のオン・オフのイベントが挙げられる。
【００９５】
イベントが無い場合（ステップＳ３；ＮＯ）、情報表示端末装置３０は、イベントが有るまで待機する。
【００９６】
イベントが有る場合（ステップＳ３；ＹＥＳ）、状態管理システム１は、表示サーバ装置１０からのイベントか否かを判定する（ステップＳ４）。具体的には、情報表示端末装置３０のシステム制御部３６が、表示サーバ装置１０からの画像群送信情報か否かを判定する。
【００９７】
表示サーバ装置１０からのイベントである場合（ステップＳ４；ＹＥＳ）、状態管理システム１は、状態群の一例として画像群を受信する（ステップＳ５）。具体的には、情報表示端末装置３０のシステム制御部３６が、表示サーバ装置１０から、図１７に示したように、状態群の情報と関連付けるインデックスを含む通信パケットのデータを受信する。
【００９８】
このように、情報表示端末装置３０は、管理対象における状態の遷移を示す状態遷移において、一状態および当該一状態から次に遷移可能な状態により形成される状態群の情報を取得する状態群取得手段の一例として機能する。また、情報表示端末装置３０は、前記インデックスを含む状態群の情報を取得する状態群取得手段の一例として機能する。
【００９９】
次に、状態管理システム１は、情報表示端末装置３０の記憶部３２に受信した画像群を保存する（ステップＳ６）。具体的には、情報表示端末装置３０のシステム制御部３６が、受信したな通信パケットから画像群の画像データを抽出し、記憶部３２に保存する。
【０１００】
表示サーバ装置１０からのイベントでない場合（ステップＳ４；ＮＯ）、すなわち、情報表示端末装置３０のイベントである場合、状態管理システム１は、画像の切替のイベントか否かの判定を行う（ステップＳ７）。具体的には、情報表示端末装置３０のシステム制御部３６が、操作ボタン３４ａの操作が画像の切替のイベントか否かの判定を行う。
【０１０１】
画像の切替のイベントである場合（ステップＳ７；ＹＥＳ）、状態管理システム１は、インデックスを更新する（ステップＳ８）。具体的には、情報表示端末装置３０のシステム制御部３６が、記憶部３２のインデックスの値を、表示される画像に対応したインデックスの値に変更する。
【０１０２】
なお、インデックスが、null情報、ブランク情報の場合は、インデックスの値を次の値に変えてもよい。
【０１０３】
次に、状態管理システム１は、記憶部３２からインデックスの画像を取得する（ステップＳ９）。具体的には、情報表示端末装置３０のシステム制御部３６が、インデックスに対応した画像を、インデックスに対応する記憶部３２のメモリ領域から取得する。
【０１０４】
次に、状態管理システム１は、表示画像を更新する（ステップＳ１０）。具体的には、情報表示端末装置３０のシステム制御部３６が、取得した画像を表示部３３に表示する。そして、表示後、情報表示端末装置３０は、ステップ３の処理に戻る。
【０１０５】
このように、情報表示端末装置３０は、前記状態群の各状態に対応した、ユーザに提示するための各提示情報のうち、一提示情報を表示する表示手段の一例として機能する。
【０１０６】
画像の切替のイベントで無い場合（ステップＳ７；ＮＯ）、状態管理システム１は、画像の確定のイベントであるか否かを判定する（ステップＳ１１）。具体的には、情報表示端末装置３０のシステム制御部３６が、操作ボタン３４ａの操作が画像の確定のイベントか否かの判定を行う。
【０１０７】
画像の確定のイベントである場合（ステップＳ１１；ＹＥＳ）、状態管理システム１は、表示サーバ装置１０に表示中の画像のインデックスの情報を送信する（ステップＳ１２）。具体的には、情報表示端末装置３０のシステム制御部３６が、通信部３１を通して、インデックスの情報を、表示サーバ装置１０にする。更に具体的には、システム制御部３６が、図１９に示すように、情報表示端末装置３０自体の端末ＩＤと、現在の状態に対応する遷移元画像インデックスと、遷移先画像インデックスとを含む通信パケットを、表示サーバ装置１０にする。そして、送信後、情報表示端末装置３０は、ステップ３の処理に戻る。
【０１０８】
画像の確定のイベントでない場合（ステップＳ１１；ＮＯ）、状態管理システム１は、その他の処理を行う（ステップＳ１３）。具体的には、情報表示端末装置３０のシステム制御部３６が、電源のオン・オフのイベント等のその他のイベントか否かを判定し、判定に従った処理を行う。そして、その他の処理後、情報表示端末装置３０は、ステップ３の処理に戻る。
【０１０９】
（５．２  表示サーバ装置１０の動作例）
次に、表示サーバ装置１０の動作例について図２１を用いて説明する。
【０１１０】
図２１は、表示サーバ装置１０の動作例を示すフローチャートである。
【０１１１】
まず、状態管理システム１は、情報表示端末装置３０の起動通知を受信する。具体的には、表示サーバ装置１０のシステム制御部１６が、通信部１１を通して、ステップＳ２の処理で情報表示端末装置３０から送信された起動通知の情報を受信する。
【０１１２】
次に、状態管理システム１は、初期状態画像を情報表示端末装置３０に送信する（ステップＳ２０）。具体的には、情報表示端末装置３０の管理の状態に対応した初期状態画像を含む画像群の情報を情報表示端末装置３０に送信する。さらに具体的には、表示サーバ装置１０が、図１７に示すような通信パケットのデータを情報表示端末装置３０に送信する。ここで、通信パケットにおいて、初期表示インデックスが、まず、初期状態画像を示している。
【０１１３】
次に、状態管理システム１は、イベントが有るか否かを判定する（ステップＳ２１）。具体的には、表示サーバ装置１０が、上位サーバ装置２０からのイベントであるか、または、情報表示端末装置３０からのイベントで有るか否かを判定する。なお、上位サーバ装置２０からのイベントとして、発注情報、入荷情報、退院情報等のシステム全体における管理対象の関する情報の上位サーバ装置２０からの通知が挙げられる。情報表示端末装置３０からのイベントとして、ステップＳ１２の処理における情報表示端末装置３０における画像確定に対応する格納インデックスの受信が挙げられる。
【０１１４】
イベントが無い場合（ステップＳ２１；ＮＯ）、表示サーバ装置１０は、イベントが有るまで待機する。
【０１１５】
イベントが有る場合（ステップＳ２１；ＹＥＳ）、状態管理システム１は、情報表示端末装置３０からのイベントか否かを判定する（ステップＳ２２）。具体的には、表示サーバ装置のシステム制御部１６が、情報表示端末装置３０の画像確定に伴う格納インデックスの受信があったか否かの判定を行う。
【０１１６】
情報表示端末装置３０からのイベントである場合（ステップＳ２２；ＹＥＳ）、状態管理システム１は、受信したインデックスをデータベースと照合する（ステップＳ２３）。具体的には、表示サーバ装置１０のシステム制御部１６が、図１９の通信パケットの遷移元画像インデックスと遷移先画像インデックス（格納インデックス）とに基づき、図１３に示すような状態情報ＤＢ１２ａを参照する。
【０１１７】
次に、状態管理システム１は、状態遷移先の状態をデータベースから取得する（ステップＳ２４）。具体的には、表示サーバ装置１０のシステム制御部１６が、遷移元画像インデックスと遷移先画像インデックスとに基づき、図１３に示すような状態情報ＤＢ１２ａを参照して、対応するステートＩＤ（状態遷移先の状態のステートＩＤ）を特定する。図１５に示すような状態情報ＤＢ１２ａを参照して、表示サーバ装置１０のシステム制御部１６が、端末ＩＤに基づき、情報表示端末装置３０の状態を把握する。例えば、端末ＩＤ”xxxxx1”の場合、図１３に示すような状態情報ＤＢ１２ａを参照して、システム制御部１６が、ステートＩＤ”ST-001”に対応するレコードを読み取る。受信した遷移元画像インデックスが”Index1”であるならば、現在の状態は、状態”ST-001”であり、受信した遷移先画像インデックスが”Index2”であるならば、遷移先の状態は、状態”ST-002”であり、受信した遷移先画像インデックスが”Index3”であるならば、遷移先の状態は、状態”ST-004”である。次に、受信した遷移先画像インデックスが”Index2”であるならば、図１５に示すような状態情報ＤＢ１２ａにおいて、端末ＩＤ”xxxxx1”のレコードのステートＩＤが状態”ST-002”になる。または、受信した遷移先画像インデックスが”Index3”であるならば、端末ＩＤ”xxxxx1”のレコードのステートＩＤが状態”ST-004”になる。
【０１１８】
なお、自動遷移の場合もあるので、表示サーバ装置１０のシステム制御部１６が、図１０に示すような状態情報ＤＢ１２ａを参照して、例えば、遷移元が状態”ST-001”で、ステートＩＤ”ST-004”の場合、端末ＩＤ”xxxxx1”のレコードのステートＩＤが状態”ST-003”になる。
【０１１９】
このように、表示サーバ装置１０は、管理対象における状態の遷移を示す状態遷移において、一状態および当該一状態から次に遷移可能な状態により形成される状態群を特定する状態群特定手段の一例として機能する。
【０１２０】
なお、情報表示端末装置３０からのイベントでない場合（ステップＳ２２；ＮＯ）、すなわち、上位サーバ装置２０からのイベントである場合、表示サーバ装置１０は、ステップＳ２４の処理を行う。
【０１２１】
次に、状態管理システム１は、自動遷移である否かを判定する（ステップＳ２５）。具体的には、表示サーバ装置１０のシステム制御部１６が、図１０に示すような状態情報ＤＢ１２ａを参照して、遷移元画像インデックスと遷移先画像インデックスとに基づき、遷移条件が、”自動遷移”に該当するか否かを判定する。例えば、遷移元画像インデックスに対応する状態がステートＩＤ”ST-003”で、遷移先画像インデックスに対応する状態がステートＩＤ”ST-004”である場合、図１０に示すような状態情報ＤＢ１２ａのステートＩＤが”ST-004”で、遷移条件の欄により、自動遷移であることが判定される。なお、上位サーバ装置２０からのイベントの場合、遷移条件は、”サーバ通知”に対応する。
【０１２２】
自動遷移である場合（ステップＳ２５；ＹＥＳ）、状態管理システム１は、状態遷移先を変更する（ステップＳ２６）。具体的には、表示サーバ装置１０のシステム制御部１６が、図１０に示すような状態情報ＤＢ１２ａを参照して、遷移先のステートＩＤを取得する。例えば、遷移元画像インデックスに対応する状態がステートＩＤ”ST-003”で、遷移先画像インデックスに対応する状態がステートＩＤ”ST-004”である場合、図１０に示すような状態情報ＤＢ１２ａのステートＩＤが”ST-004”で、遷移元が”ST-003”に対応し、次の自動遷移先の状態のステートＩＤが”ST-005”であることが分かる。そして、状態遷移先が、ステートＩＤ”ST-004”から”ST-005”に変更される。
【０１２３】
次に、ステップＳ２５の処理に戻り、表示サーバ装置１０は、図１０に示すような状態情報ＤＢ１２ａを参照して、変更された状態遷移先の状態が、自動遷移であるか否かを判定する。
【０１２４】
自動遷移でない場合（ステップＳ２５；ＮＯ）、状態管理システム１は、状態遷移先の画像群をデータベースから取得する（ステップＳ２７）。具体的には、表示サーバ装置１０のシステム制御部１６が、図１３に示すような状態情報ＤＢ１２ａを参照して、状態遷移先の状態のステートＩＤに基づき、画像群の各画像に対応するステートＩＤを取得する。そして、システム制御部１６が、図１１に示すような状態情報ＤＢ１２ａを参照して、画像群の各ステートＩＤに基づき、画像データ（ベース画像と、可変部フォーマット）を取得する。
【０１２５】
なお、既にベース画像が、情報表示端末装置３０の記憶部３２にある場合、可変部フォーマットのみを送信してもよい。この場合、送信量を削減することができる。状態遷移前の画像群と状態遷移後の画像群との差分の画像の画像データのみを送信してもよい。この場合、送信量を削減することができる。
【０１２６】
次に、状態管理システム１は、情報表示端末装置３０に画像群を送信する（ステップＳ２８）。具体的には、表示サーバ装置１０のシステム制御部１６が、データベースから取得した画像群を情報表示端末装置３０に送信する。
【０１２７】
このように、表示サーバ装置１０は、前記特定された状態群の各状態に対応してユーザに提示するための各提示情報を、当該提示情報を表示する情報表示端末装置に送信する送信手段の一例として機能する。
【０１２８】
なお、状態管理システム１は、画像群を送信する前に、画像更新が有るか否かを判定してもよい。例えば、情報表示端末装置３０に格納されている画像が、状態遷移前の画像群と状態遷移後の画像群とに、共通画像があり、共通画像の更新されていない場合は、表示サーバ装置１０は、共通画像を送信しなくてもよい。この場合、送信量を削減することができる。
【０１２９】
次に、状態管理システム１は、上位サーバ装置２０に通知が有るか否かを判定する（ステップＳ２９）。例えば、状態が、納入待ちになった場合、次の状態に遷移するためには、部品等の納入があるかどうかの情報が必要である。このように、情報表示端末装置３０および表示サーバ装置１０以外からの情報が必要であるか否かの判定を表示サーバ装置１０が行う。
【０１３０】
上位サーバ装置２０に通知が有る場合（ステップＳ２９；ＹＥＳ）、状態管理システム１は、上位サーバ装置２０に状態遷移を通知する（ステップＳ３０）。例えば、状態が、納入待ちになった場合、部品等の納入があるかどうかを、上位サーバ装置２０に通知してもらうため、状態が、納入済みの状態に遷移した旨の情報を送信する。
【０１３１】
ステップＳ３０の処理の後、または、上位サーバ装置２０に通知が無い場合（ステップＳ２９；ＮＯ）、表示サーバ装置１０は、ステップＳ２１の処理に戻る。
【０１３２】
以上、本実施形態によれば、管理対象における状態の遷移を示す状態遷移において、一状態および当該一状態から次に遷移可能な状態により形成される状態群の情報を取得し、状態群の各状態に対応してユーザに提示するための各提示情報のうち、一提示情報を表示し、提示情報の表示を切り替えることにより、一状態から次に遷移可能な状態群に切り替えや表示を限っているので、遷移不可能な状態の情報が表示されることがなく、管理対象に対する作業の間違えを防止できる。
【０１３３】
また、一状態から次に遷移可能な状態群に限っているので、状態の状態遷移関係が複雑であっても、次の状態に遷移する際の選択の入力機構がシンプルにすることができる。例えば、操作ボタン３４ａのみで操作できる。ユーザが装置を使いこなすまでに時間がかからない。
【０１３４】
状態の確定を受け付ける確定受付手段の一例として、操作ボタン３４ａを有し、確定した状態から次に遷移可能な状態群の情報を取得する場合、ユーザの意思を確認して、次の状態に遷移できるので、誤動作が少なくなる。
【０１３５】
また、ユーザの入力を受け付けるボタンスイッチ（操作ボタン３４ａ）からの入力に基づき、提示情報の表示を切り替える場合、ユーザが、ボタンスイッチの操作により容易に状態を選択できる。
【０１３６】
また、ボタンスイッチ（操作ボタン３４ａ）が押されるパターンに基づき、提示情報の表示を切り替える場合、少ないボタンスイッチで、状態の選択や確定に対応できる。また、部品点数が少なくて済む。
【０１３７】
また、情報表示端末装置のメモリに割り当てられたメモリ領域を示すインデックスであって、インデックスを含む状態群の情報を取得し、取得したインデックスに対応するメモリ領域に、提示情報を記憶する場合、送信量を削減することができる。さらに、この場合、最低１個の入力部品（例えば、操作ボタン３４ａ）で、実現可能であり、複雑な遷移図でも適用可能であり、画像を格納しているメモリ領域のサイズやアドレスを考慮しなくてもよい。これが実現できるのは、状態管理サーバ（表示サーバ装置１０）側で、図１５のように各情報表示端末装置３０の現在の状態（ステートＩＤ）を把握し、また、図１３により現在の状態（ステートＩＤ）から情報表示端末装置３０に格納されている画像（状態）のメモリ領域のインデックスと遷移先の状態（ステートＩＤ）が紐付けられているからである。
【０１３８】
情報表示端末装置３０がボタン操作によって状態の遷移を表示サーバ装置１０に通知するとき、図１９に示すように、遷移元の画像が格納されているメモリ領域を表す遷移元画像インデックス（数字）と、遷移先の画像が格納されているメモリ領域を表す遷移先画像インデックス（数字）とを併せて送信するように、２つの数字を送信するだけで状態の遷移を通知できる。
【０１３９】
図８に示すような遷移図で、ST-001からST-002に遷移したことを表示サーバ装置１０に伝えるときに、インデックスと異なり、文字であれば“ST-001からST-002に遷移”のような文字数（＝データ量）が掛かり、また、画像そのものを送信したのでは、遷移元と遷移先の２枚の画像を送る必要があり、データ量が増加してしまう。
【０１４０】
インデックスという数字を送信する場合において、情報表示端末装置３０における入力には最低１個のボタンで実現可能であることは、例えばインデックスが”１０”だとしても、ユーザはメモリ領域”１０”に格納されている画像を表示して確定するだけでよいので、”１０”という数字は打つ必要がなく、テンキーのような入力装置は不要となる。
【０１４１】
図８よりも、より複雑な遷移図であっても適用可能である理由は、どんなに複雑な遷移でも情報表示端末装置３０が画像（状態）を格納しなければならないのは現在の状態と、そこから遷移可能な状態の数だけあり、ユーザは複雑な遷移図を意識しなくとも画像を選択して確定するだけでよいからである。例えば、状態が全部で1億個（ST-000000001〜ST-100000000）あるとしても、ある状態からボタン操作で遷移できる状態の数が最大１０状態であれば、情報表示端末装置３０は、１０枚分の画像を保存できるメモリサイズであればよいため、大容量の記録媒体は不要となる。状態の遷移を通知するのは、遷移元インデックス(例：01)と遷移先インデックス（例：08）で良いので、状態の総数がいくら増えても関係がない。
【０１４２】
状態管理サーバ装置（表示サーバ装置１０）と情報表示端末装置３０の状態（画像）のやりとりは、全てインデックスを利用しているため、実際のメモリ領域を意識しなくてもよい。そのため、情報表示端末装置３０において、新型と旧型とのメモリ領域に互換性がなくても、新旧混在して運用できる。
【０１４３】
また、新型の情報表示端末装置３０が、表示画面のサイズ（解像度）が異なる場合でも混在して運用できる。解像度が異なると一般的には画像データの最大サイズも異なるため、格納するメモリ領域も異なる。例えば、解像度が２倍（データ量は最大４倍）になれば、図１４のIndex1は0x4000-0x41FFから0x04000-0x107FFに変えて、格納領域を確保しておく必要があるが、Indexは変わらないので、図１７および図１９に示すようなデータフォーマットはそのまま利用できる。
【０１４４】
［６．状態遷移の例］
次に、在庫管理の状態遷移、製造管理の状態遷移、および、病院等のベッド管理の状態遷移について、図を用いて説明する。
【０１４５】
（６．１  在庫管理の状態遷移）
まず、在庫管理の状態遷移について、図２２を用いて説明する。
【０１４６】
図２２は、在庫管理における状態遷移の一例を示す模式図である。
【０１４７】
一例として、部品であるボルトを保管する各保管箱（物品５）に、各情報表示端末装置３０が設置してある例を用いて説明する。
【０１４８】
図２２に示すように、状態”ST01”の場合の空箱、例えば、保管箱が空の場合、情報表示端末装置３０は、ステップＳ５において、状態”ST01”の１つの状態群の画像群データとして、空箱の表示画面の画像データを受信する。例えば、空箱の表示画面は、図４に示すような表示において、棚コード３３ａのコードが表示され、各種表示３３ｆ”空箱”が表示される。また、画像３３ｅに、部品の画像はまだ表示されず、部品コード３３ｂ、メーカコード３３ｃ、および、部品名３３ｄの具体的内容は、表示されない。
【０１４９】
状態”ST01”から状態”ST02”への遷移は、上位サーバ装置２０からの通知による遷移なので、状態”ST01”においては、情報表示端末装置３０において表示可能な画像は、状態”ST01”に対応する画像のみで、情報表示端末装置３０で操作ボタン３４ａを操作しても、次の状態に対応する画像が表示されたり、次の状態に遷移が移らない。
【０１５０】
表示サーバ装置１０が、上位サーバ装置２０から”納入待ち”の情報を受信し、ステップＳ２１において、イベント有りとなり、ステップＳ２４で状態遷移先の状態を取得する。図２２に示すように、状態”ST01”から状態”ST02”への遷移は、自動遷移でないので、表示サーバ装置１０が、ステップＳ２７において、状態”ST02”を含む遷移先の状態群（状態”ST02”、状態”ST03”および状態”ST05”）に対応する画像群を取得して、ステップＳ２８において、情報表示端末装置３０に送信する。
【０１５１】
次に、情報表示端末装置３０は、画像群を格納し、状態”ST02”に対応する画像、例えば、図４に示すような表示において、各種表示３３ｆ”4/1納入予定”、画像３３ｅ、部品コード３３ｂ、メーカコード３３ｃ、および、部品名３３ｄの内容を表示する。
【０１５２】
部品が納入され、オペレータが、保管箱に部品を納入した後、操作ボタン３４ａを操作して、画像を切り替え（ステップＳ７）、部品の数が所定数以上である場合、状態”ST03”に対応する画像で確定され、部品の数が所定数より少ない場合、状態”ST05”に対応する画像で確定される（ステップＳ１１）。
【０１５３】
状態”ST03”に対応する画像で確定された場合、状態”ST04”に自動遷移して、情報表示端末装置３０は、状態群（状態”ST04”および状態”ST05”）に対応する画像群を表示サーバ装置１０から取得して、状態”ST04”に対応する画像を表示する。
【０１５４】
部品の在庫数が所定数より少なくなった場合、オペレータは、状態”ST05”に対応する画像に確定し、情報表示端末装置３０は、在庫が少ない旨の情報を表示サーバ装置１０に送信する。表示サーバ装置１０から在庫が少ない旨の情報が、上位サーバ装置２０に送信され、上位サーバ装置２０は、購買担当に発注を促すように、状態管理システム１を作動させる。
【０１５５】
次に、状態”ST06”に自動遷移し、情報表示端末装置３０は、状態群（状態”ST06”および状態”ST09”）に対応する画像群を表示サーバ装置１０から取得して、状態”ST06”に対応する画像（各種表示３３ｆ”在庫少”）を表示する。
【０１５６】
部品が発注された場合、上位サーバ装置２０は、表示サーバ装置１０に部品が発注された旨の情報を送信し、状態が状態”ST07”に遷移する。情報表示端末装置３０は、状態群（状態”ST07”および状態”ST09”）に対応する画像群を表示サーバ装置１０から取得して、状態”ST07”に対応する画像（各種表示３３ｆ”発注中＋在庫少”）を表示する。
【０１５７】
さらに、部品の納入日が確定された場合、上位サーバ装置２０は、表示サーバ装置１０に納入日が確定された旨の情報を送信し、状態が状態”ST08”に遷移する。情報表示端末装置３０は、状態群（状態”ST08”および状態”ST09”）に対応する画像群を表示サーバ装置１０から取得して、状態”ST08”に対応する画像（各種表示３３ｆ”5/1納入＋在庫少”）を表示する。
【０１５８】
状態”ST06”、状態”ST07”および状態”ST08”において、在庫がなくなった場合、オペレータは、状態”ST09”に対応する画像に確定する。状態”ST06”から状態”ST09”に遷移した場合、状態”ST10”に自動遷移し、状態”ST07”から状態”ST09”に遷移した場合、状態”ST11”に自動遷移し、状態”ST08”から状態”ST09”に遷移した場合、状態”ST02”に自動遷移する。
【０１５９】
（６．２  病院等のベッド管理の例）
次に、病院等のベッド管理の状態遷移について、図２３および図２４を用いて説明する。
【０１６０】
図２３は、病院等のベッドに設置された情報表示端末装置の一例を示す模式図である。図２４は、病院等のベッド管理における状態遷移の一例を示す模式図である。
【０１６１】
図２３に示すように、病院のベッドに情報表示端末装置３０が設置される。ここで、情報表示端末装置３０の表示部３３には、ベッドコード、患者名、担当医、入院日数、患者コード等が表示されるようになっている。また、情報表示端末装置３０のユーザは、患者、看護師、清掃員の３人とする。
【０１６２】
まず、ベッドに情報表示端末装置３０が設置され、起動された段階では、状態”ST01”（準備中）であり、表示部３３には、ベッドコードおよび”準備中”が表示される。表示部３３に表示可能な画像は、図２４に示すように、状態群、状態”ST01”、状態”ST02”（準備完了通知）、および、状態”ST10”（故障通知）にそれぞれ対応する画像である。
【０１６３】
次に、清掃員等が、ベッドの準備を行い、ベッドの準備が整ったことを上位サーバ装置２０へ通知するために、状態”ST02”に対応する画像に確定する。また、ベッド周りの機器に故障等の異常がある場合、清掃員等が、状態”ST10”に対応する画像に確定する。
【０１６４】
状態”ST02”に対応する画像で確定された場合、状態”ST03”（使用可）に自動遷移して、情報表示端末装置３０は、状態群（状態”ST03”）に対応する画像群を表示サーバ装置１０から取得して、状態”ST03”に対応する画像を表示する。表示部３３には、ベッドコードおよび”使用可”が表示される。
【０１６５】
患者が入院する場合、上位サーバは使用可能なベッドを抽出し、該当ベッドの情報表示端末装置３０に対して患者情報を送信し、状態”ST03”（使用可）から状態”ST04”（使用中）に遷移する。情報表示端末装置３０は、状態群（状態”ST04”、状態”ST05”（要清掃通知）および状態”ST10”）に対応する画像群を表示サーバ装置１０から取得して、状態”ST04”に対応する画像（患者情報が記載された画像）を表示する。
【０１６６】
ベッドを巡回してきた看護師等が、ベッドの状態を見て、清掃が必要であれば、上位サーバ装置２０へ通知するため、看護師等が状態”ST05”に対応する画像に確定する。
【０１６７】
状態”ST05”に対応する画像で確定された場合、状態”ST06”（要清掃）に自動遷移して、情報表示端末装置３０は、状態群（状態”ST06”および状態”ST07”（清掃許可通知））に対応する画像群を表示サーバ装置１０から取得して、状態”ST06”に対応する画像を表示する。表示部３３には、清掃が必要な旨の情報が表示される。上位サーバ装置２０は、は患者の予定から清掃が可能な大まかな時間帯と場所を清掃員へ通知する。
【０１６８】
看護師等が、予定時刻に患者と付き添いベッドを離れる時のように、ベッドの清掃が可能になった場合、上位サーバ装置２０へ通知するため、看護師等が状態”ST07”に対応する画像に確定する。
【０１６９】
状態”ST07”に対応する画像で確定された場合、状態”ST08”（清掃中）に自動遷移して、情報表示端末装置３０は、状態群（状態”ST08”、状態”ST09”（清掃完了通知）、および、状態”ST10”）に対応する画像群を表示サーバ装置１０から取得して、状態”ST08”に対応する画像を表示する。表示部３３には、清掃中の情報が表示される。
【０１７０】
清掃員等は、指定された場所のベッドの情報表示端末装置３０を見て、通知された情報通りであることを確認し、清掃を行う。清掃が完了した後、清掃員等は、状態”ST09”に対応する画像に確定する。
【０１７１】
状態”ST09”に対応する画像で確定された場合、状態”ST04”に自動遷移して、情報表示端末装置３０は、状態群（状態”ST04”、状態”ST05”、および、状態”ST10”）に対応する画像群を表示サーバ装置１０から取得して、状態”ST04”に対応する画像を表示する。
【０１７２】
患者が退院した場合、看護師等が、状態”ST01”にリセットになるように、操作ボタン３４ａを操作すると、状態”ST01”に遷移して、情報表示端末装置３０は、状態群（状態”ST01”、状態”ST02”、および、状態”ST10”）に対応する画像群を表示サーバ装置１０から取得して、状態”ST01”に対応する画像を表示する。
【０１７３】
（６．３  製造管理の例）
次に、工場等における製造管理の状態遷移について、図２５を用いて説明する。
【０１７４】
図２５は、製造管理における状態遷移の一例を示す模式図である。
【０１７５】
パーソナルコンピュータの組み立てを例に説明する。パーソナルコンピュータは、筐体、マザーボード、ハードディスクドライブ、電源、メモリから組み立てられるとする。筐体に情報表示端末装置３０が設置されるとする。情報表示端末装置３０の表示部３３には、機種名、ロット番号、作業の指示内容、取り付ける部品の型番、部品の画像、リーダー等で読み取るコードが表示される。
【０１７６】
図２５に示すように、Ａ工程の状態”ST01”では、情報表示端末装置３０の表示部３３には、作業の指示内容”マザーボードの取り付け作業”が表示され、オペレータは、情報表示端末装置３０の指示書通りに取り付けを行い、製造途中のパーソナルコンピュータを、次のＢ工程に流す。なお、上位サーバ装置２０からの通知により遷移なので、オペレータは、遷移状態を選択して確定できないように、Ａ工程の状態”ST01”に対応する画像しか見ることができないようになっている。
【０１７７】
上位サーバ装置２０は、別手段によってこの工程を終えたことを認識し、次のＢ工程用の画像（状態”ST02”に対応する画像）を、表示サーバ装置１０を介して、情報表示端末装置３０に送信する。
【０１７８】
Ｂ工程の状態”ST02”では、情報表示端末装置３０の表示部３３には、作業の指示内容”ＨＤＤ＆メモリの取り付け作業”、および、ハードディスクドライブおよびメモリの画像等が表示され、オペレータは、情報表示端末装置３０の指示書通りに取り付けを行い、製造途中のパーソナルコンピュータを、次のＣ工程に流す。
【０１７９】
上位サーバ装置２０は、別手段によってこの工程を終えたことを認識し、次のＣ工程用の画像（状態”ST03”に対応する画像）を、表示サーバ装置１０を介して、情報表示端末装置３０に送信する。
【０１８０】
Ｃ工程の状態”ST03”では、情報表示端末装置３０の表示部３３には、作業の指示内容”電源の取り付け作業”および電源の画像等が表示され、オペレータは、情報表示端末装置３０の指示書通りに取り付けを行い、組み立てが完了したパーソナルコンピュータを、次の検査工程に流す。
【０１８１】
上位サーバ装置２０は、別手段によってこの工程を終えたことを認識し、検査工程用の画像（状態”ST04”に対応する画像）、良品通知用の画像（状態”ST05”に対応する画像）、および、不良通知用の画像（状態”ST09”に対応する画像）を、表示サーバ装置１０を介して、情報表示端末装置３０に送信する。情報表示端末装置３０は、状態群（状態”ST04”、状態”ST05” 状態”ST09”）に対応する画像群を表示サーバ装置１０から受信して、状態”ST04”に対応する画像を表示する。
【０１８２】
検査工程の状態”ST04”では、情報表示端末装置３０の表示部３３には、作業の指示内容として、検査項目、およびパーソナルコンピュータの画像等が表示され、オペレータは、情報表示端末装置３０の指示書通りに検査を行う。検査結果に基づき、オペレータは、次の工程を選択する。良品ならば、状態”ST05”に対応する画像で確定され、不良品ならば、状態”ST09”に対応する画像で確定されることにより、オペレータは検査結果を上位サーバ装置２０へ通知する。
【０１８３】
上位サーバ装置２０は、受信した情報から製品の状況を把握し、次の状態遷移のための画像を、表示サーバ装置１０を介して、情報表示端末装置３０に送信する。
【０１８４】
良品ならば、状態”ST06”に自動遷移して、情報表示端末装置３０は、状態群（状態”ST06”および状態”ST07”）に対応する画像群を表示サーバ装置１０から取得して、状態”ST06”に対応する画像を表示する。なお、状態”ST06”（出荷）は、完成品を出荷する準備の工程で、状態”ST07（包装通知）は、完成品の包装が終了したことを通知する工程である。
【０１８５】
梱包が終了し、状態”ST07”に対応する画像で確定されることにより、待機する状態”ST08”に自動遷移する。待機状態では、初期画面に戻る。
【０１８６】
不良品ならば、状態”ST10”に自動遷移して、情報表示端末装置３０は、状態群（状態”ST10”、状態”ST11” 状態”ST12”）に対応する画像群を表示サーバ装置１０から取得して、状態”ST10”に対応する画像を表示する。なお、状態”ST10”（修正）は、不良品をリカバーする工程で、状態”ST11”（修正通知）は、不良品をリカバーできたことを通知する工程で、状態”ST12”（解析通知）は、不良品をリカバーできなかった場合に、解析を行う通知する工程である。
【０１８７】
オペレータは、情報表示端末装置３０の指示書通りにリカバーを行う。リカバー結果に基づき、オペレータは、次の工程を選択する。リカバーできたならば、状態”ST11”に対応する画像で確定され、リカバーできなければ、状態”ST12”に対応する画像で確定されることにより、オペレータはリカバー結果を上位サーバ装置２０へ通知する。
【０１８８】
上位サーバ装置２０は、受信した情報から製品の状況を把握し、次の状態遷移のため画像を、表示サーバ装置１０を介して、情報表示端末装置３０に送信する。
【０１８９】
リカバーできたならば、状態”ST04”に自動遷移して、もう一度検査をやり直す。リカバーできなければ、状態”ST13”に自動遷移して、情報表示端末装置３０は、解析を行う指示の状態”ST13”に対応する画像”と、廃棄の通知を行う状態”ST14”に対応する画像の画像群を表示サーバ装置１０から取得して、状態”ST13”に対応する画像を表示する。状態”ST14”に対応する画像を確定することにより、オペレータは解析結果を上位サーバ装置２０へ通知する。
【０１９０】
状態”ST15”に自動遷移して、再利用できる部品を取り外し廃棄する指示をして、状態”ST16”に対応する画像を確定することにより、待機する状態”ST08”に自動遷移する。
【０１９１】
なお、この３つの例以外にも様々な分野に適用可能である。例えば、アンケート回答にも適用可能である。アンケートの１問目の状態と選択肢毎の状態とを状態群と、アンケートの２問目の状態と選択肢毎の状態とを状態群と、・・・とする。情報表示端末装置３０にまず、１問目の状態に対応する画像を表示し、回答者が操作ボタン３４ａを操作して、問に対するいずれかの選択肢に確定したら、次の問いの状態に自動遷移する。オフラインで行う場合、予め状態遷移と対応する画像を保存しておき、選択された画像のインデックスを保存しておく。後ほど、表示サーバ装置１０と接続したときに結果のインデックスを報告する。
【０１９２】
なお、情報表示端末装置３０が、記憶部に３２、全ての状態の画像（ベース画像等）を記憶しておき、ステップＳ５において、状態群の情報として、インデックス情報のみを受信してもよい。更に、情報表示端末装置３０が、記画像の更新する際、可変部フォーマットの情報のみを受信するようにしてもよい。
【０１９３】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【０１９４】
１：状態管理システム
５：物品（管理対象）
１０：表示サーバ装置
２０：上位サーバ装置
３０：情報表示端末装置
３３：表示部
３４：操作部
３４ａ：操作ボタン
【図１】
0006554803.tif 000002
【図２】
0006554803.tif 000003
【図３】
0006554803.tif 000004
【図４】
0006554803.tif 000005
【図５】
0006554803.tif 000006
【図６】
0006554803.tif 000007
【図７】
0006554803.tif 000008
【図８】
0006554803.tif 000009
【図９】
0006554803.tif 000010
【図１０】
0006554803.tif 000011
【図１１】
0006554803.tif 000012
【図１２】
0006554803.tif 000013
【図１３】
0006554803.tif 000014
【図１４】
0006554803.tif 000015
【図１５】
0006554803.tif 000016
【図１６】
0006554803.tif 000017
【図１７】
0006554803.tif 000018
【図１８】
0006554803.tif 000019
【図１９】
0006554803.tif 000020
【図２０】
0006554803.tif 000021
【図２１】
0006554803.tif 000022
【図２２】
0006554803.tif 000023
【図２３】
0006554803.tif 000024
【図２４】
0006554803.tif 000025
【図２５】
0006554803.tif 000026